(57)【要約】【課題】コイルユニットの載置位置の安定化を図れるようにする。【解決手段】コイルベース６１の上方に設けられる複数の誘導加熱コイル６４，６５の各リード線６６のコイルユニット６からの引き出し位置を、コイルユニット６の周方向で異ならせて配置するとともに、本体１のコイルユニットの外側でリード線６６の引き出し位置に対応する位置に、リード線６６の端子部６６ａが接続される接続部６９を設ける。【選択図】図３
2013062214.tif 000002
【特許請求の範囲】
【請求項１】
外郭を構成する本体と、
前記本体の上面に設けられて調理容器が載置されるトッププレートと、
前記本体に載置されて前記トッププレートの下方に配置されたコイルユニットとを備え、
前記コイルユニットは、コイルベースと、該コイルベースの上方に設けられる複数の誘導加熱コイルを有し、
前記複数の誘導加熱コイルは、それぞれのリード線の前記コイルユニットからの引き出し位置が、前記コイルユニットの周方向で異ならせて配置されており、
前記本体の前記コイルユニットの外側で前記リード線の前記引き出し位置に対応する位置に、前記リード線の端子部が接続される接続部を設けたことを特徴とする電磁誘導加熱調理器。
【請求項２】
前記接続部は、前記コイルユニットの中心と前記リード線の前記引き出し位置とを結ぶ線の延長線上に設けられていることを特徴とする請求項１記載の電磁誘導加熱調理器。
【請求項３】
前記コイルユニットの周方向に引き出し位置を異ならせて配置されたリード線のうち、少なくとも一対のリード線は、前記コイルユニットからの引き出し位置が、前記コイルユニットの中心を挟んで略対向する位置に設定されていることを特徴とする請求項１又は請求項２記載の電磁誘導加熱調理器。
【発明の詳細な説明】
【技術分野】
【０００１】
本発明は、電磁誘導加熱調理器に関し、特に誘導加熱コイルを構成するリード線の配線に関する。
【背景技術】
【０００２】
従来より、外郭を構成する本体と、この本体の上面に設けられ、調理容器が載置されるトッププレートと、本体に載置されてトッププレートの下方に配置されたコイルユニットとを備え、このコイルユニットは、コイルベースと、このコイルベースの上方に設けられる複数の誘導加熱コイルを有している電磁誘導加熱調理器が知られている。
このようなものにおいて、コイルユニットから引き出される各誘導加熱コイルのリード線の端末は、従来、近設する箇所に集められ、まとめて接続されていた（例えば、特許文献１参照）。
【先行技術文献】
【特許文献】
【０００３】
【特許文献１】特開２０００−８２５７７号公報（第２頁、第４図）
【発明の概要】
【発明が解決しようとする課題】
【０００４】
誘導加熱コイルのリード線は径が太く、腰がある。このため、誘導加熱コイルのリード線端末を近設する箇所に集めてまとめて接続するようにしたものにあっては、例えリード線の長さが長くて余裕があったとしても、接続したリード線に引っ張られてコイルユニット載置位置が所望の位置から外れる可能性があった。
【０００５】
本発明は、前記のような課題を解決するためになされたもので、コイルユニットの載置位置の安定化を図れるようにすることを目的とする。
【課題を解決するための手段】
【０００６】
本発明に係る電磁誘導加熱調理器は、外郭を構成する本体と、本体の上面に設けられて調理容器が載置されるトッププレートと、トッププレートの下方に設けられるコイルユニットとを備え、コイルユニットは、コイルベースと、該コイルベースの上方に設けられる複数の誘導加熱コイルを有し、複数の誘導加熱コイルは、それぞれのリード線のコイルユニットからの引き出し位置が、コイルユニットの周方向で異ならせて配置されており、本体のコイルユニットの外側でリード線の引き出し位置に対応する位置に、リード線の端子部が接続される接続部を設けたものである。
【発明の効果】
【０００７】
本発明の電磁誘導加熱調理器においては、コイルベースの上方に設けられる複数の誘導加熱コイルの各リード線のコイルユニットからの引き出し位置を、コイルユニットの周方向で異ならせて配置するとともに、本体のコイルユニットの外側でリード線の引き出し位置に対応する位置に、リード線の端子部が接続される接続部を設けたので、各リード線が互いにバランスを取り合い、特定の方向に引っ張られることを抑制する。このため、コイルユニットの載置位置の安定化が可能となる。
【図面の簡単な説明】
【０００８】
【図１】本発明の実施形態１に係る電磁誘導加熱調理器の外観を示す斜視図である。
【図２】本発明の実施形態１に係る電磁誘導加熱調理器のトッププレートを取り外して示す斜視図である。
【図３】本発明の実施形態１に係る電磁誘導加熱調理器の左側のコイルユニットを拡大して示す平面図である。
【図４】本発明の実施形態２に係る電磁誘導加熱調理器の左側のコイルユニットを拡大して示す平面図である。
【発明を実施するための形態】
【０００９】
実施形態１．
図１は本発明の実施形態１に係る電磁誘導加熱調理器の外観を示す斜視図、図２は本発明の実施形態１に係る電磁誘導加熱調理器のトッププレートを取り外して示す斜視図である。
本発明の実施形態１の電磁誘導加熱調理器は、図１及び図２のように外郭を構成する加熱調理器本体１（以下、本体１）と、本体１の上部開口面を覆うように取り付けられ、外周に外枠を有するトッププレート２と、トッププレート２の後部の外枠に着脱自在に設けられた吸排気口のカバー３と、本体１の前面に配置された操作部４と、本体１の前面に操作部４と隣接して設けられたグリル扉５とを備えている。
【００１０】
トッププレート２は、調理を行う際に上面に調理容器を載置するものであり、耐熱強化ガラスより構成されている。そして、このトッププレート２の下には、加熱容量の異なる２つのコイルユニット６，７と、１つのヒーターユニット８が配置されている。
グリル扉５は、魚などを調理するグリル庫の開口を被うものであり、使用者がグリル扉５に設けられた取手を手前に引くことで開くことができる。
【００１１】
本体１の左側に位置するコイルユニット６には、複数の誘導加熱コイル６４，６５が設けられ、本体１の右側に位置するコイルユニット７には、小径および大径のリング状の誘導加熱コイルが設けられている。また、コイルユニット６とコイルユニット７に挟まれた前方の位置には、ラジエントヒーターが設けられているヒーターユニット８が位置している。
【００１２】
そして、前述のコイルユニット６，７を構成する誘導加熱コイルに、インバーター回路（図示せず）を介して高周波電流が流れると、誘導加熱コイルから高周波電流に応じた磁束が発生し、その磁束によりトッププレート２に載置された調理容器の鍋などが誘導加熱される。
なお、ヒーターユニット８に代えて、コイルユニット７の外径より小さいコイルユニットを用いてもよい。
【００１３】
図３は本発明の実施形態１に係る電磁誘導加熱調理器の左側のコイルユニットを拡大して示す平面図である。
左側のコイルユニット６は、図３のようにコイルベース６１と、このコイルベース６１に設けられる複数のフェライトと、複数の誘導加熱コイル６４，６５と、調理容器の温度を検出する複数の感熱センサー７０と、複数のスペーサー８０などを備えている。スペーサー８０は、トッププレート２に載置された調理容器と誘導加熱コイル６４，６５との間の距離を一定に保つ機能と、誘導加熱コイル６４，６５をトッププレート２のガラス面に直接押し付けるとガラス面に傷が付くため、ガラス面との間に隙間を形成させることでこれを防止する緩衝材としての機能を有している。
【００１４】
これを更に詳述すると、コイルベース６１は、少なくとも中央に位置する中央支持体６２と、この中央支持体６２を中心に放射状に伸びる複数の梁部６２ａと、この梁部６２ａの端部と連結されたリング形状の側板６２ｂを有し、平面視形状が円盤状となるように樹脂により一体に形成されている。そして、各梁部６２ａの下面側にフェライトが取り付けられている。フェライトは、誘導加熱コイル６４，６５から発生する磁束のうち下方や側方に漏洩する磁束の磁路としての役割をなしている。これによって、コイルユニット６から漏れる磁束を防止でき、操作部４に設けられた回路基板上の電子部品や、誘導加熱コイル６４，６５に高周波電流を供給するための回路基板上の電子部品などへの悪影響を与えないように防いでいる。また、リング形状の側板６２ｂの外周には、外周全体を覆うように防磁リング７５が設けられている。この防磁リング７５は、コイルユニット６の外に誘導加熱コイル６４，６５から生じる磁束を漏れ難くするためのもので、組立作業時に、作業者がコイルユニット６の上下がわかるように、コイルユニット６の上位置にリングを閉じるかしめ部７５ａが位置している。
【００１５】
コイルユニット６の誘導加熱コイル６４は、導線を巻回することにより円形のリング形状に形成され、中央支持体６２を中心に、中央支持体６２の外周を囲むように配置されている。また、誘導加熱コイル６５は、円盤状であるコイルベース６１の周方向に延びた略まゆ型形状である異形リング状に形成され、誘導加熱コイル６４の周囲に周方向に等間隔に例えば４個配置されている。また、これらの各誘導加熱コイル６４，６５から延びるリード線６６のコイルユニット６からの引き出し位置が、コイルユニット６の周方向で異ならせて配置されている。また、本体１には、コイルユニット６の外側でリード線６６の引き出し位置に対応する位置、つまりコイルユニット６の中心とリード線６６の引き出し位置とを結ぶ線の延長線上となる位置に、それぞれリード線６６の端子部６６ａが接続される接続部６９が設けられている。ここでは、９０°間隔で４つのリード線６６のコイルユニット６からの引き出し位置が設定され、これらから周方向に外れた位置に１つのリード線６６のコイルユニット６からの引き出し位置が設定されており、これら引き出し位置とコイルユニット６の中心とを結ぶ線の延長線上となる位置に、それぞれリード線６６の端子部６６ａが接続される接続部６９が設けられている。すなわち、二対のリード線６６はコイルユニットの中心を挟んで略対向する位置に配置されている。
【００１６】
このように、本発明の実施形態１に係る電磁誘導加熱調理器は、各誘導加熱コイル６４，６５から延びるリード線６６のコイルユニット６からの引き出し位置が、コイルユニット６の周方向で異ならせて配置されているとともに、本体１におけるコイルユニット６の中心とリード線６６の引き出し位置とを結ぶ線の延長線上となる位置に、それぞれリード線６６の端子部６６ａが接続される接続部６９を設け、それぞれのリード線６６の端子部６６ａを本体１と接続するようにしているので、コイルユニット６から外側に略放射状に出る各リード線６６が互いにバランスを取り合い、特定の方向に引っ張られることを抑制する。このため、コイルユニット６の載置位置の安定化が可能となる。
【００１７】
実施形態２．
図４は本発明の実施形態２に係る電磁誘導加熱調理器の左側のコイルユニットを拡大して示す平面図であり、前述の実施形態１に相当する部分には同一符号を付してある。なお、説明に当たっては前述の図１及び図２を参照するものとする。
【００１８】
本発明の実施形態２に係る電磁誘導加熱調理器は、図４のようにコイルユニット６の周方向に引き出し位置を異ならせて配置されたリード線６６のうち、コイルユニット６からの引き出し位置がコイルユニット６の中心を挟んで略対向する位置に設定されているのは一対のみである。そして、他のリード線６６のコイルユニット６からの引き出し位置は、引き出し位置がコイルユニット６の中心を挟んで対向配置された一対のリード線６６を挟む両側の領域に分散配置したものである。それ以外の構成は前述の実施形態１のものと同一である。
【００１９】
コイルユニット６の載置位置の安定化を図るためには、各リード線６６のコイルユニット６からの引き出し位置を、周方向で等間隔に配置することが望ましいが、配線の都合でそのような配置ができない場合が多々ある。
【００２０】
このような場合でも、本発明の実施形態２に係る電磁誘導加熱調理器のように、コイルユニット６の周方向に引き出し位置を異ならせて配置されたリード線６６のうち、少なくとも一対のリード線６６のコイルユニット６からの引き出し位置をコイルユニット６の中心を挟んで略対向する位置に設定すれば、各リード線６６が互いにバランスを取り合うので、従来のように誘導加熱コイルのリード線端末を近設する箇所に集めてまとめて接続するようにしたものに比べて、特定の方向に引っ張られることを抑制することができる。このため、コイルユニット６の載置位置の安定化が図れる。
【符号の説明】
【００２１】
１  本体、２  トッププレート、３  吸排気口のカバー、４  操作部、５  グリル扉、６，７  コイルユニット、８  ヒーターユニット、６１  コイルベース、６２  中央支持体、６２ａ  梁部、６２ｂ  側板、６４，６５  誘導加熱コイル、６６  リード線、６６ａ  リード線の端子部、６９  接続部、７０  感熱センサー、７５  防磁リング、７５ａ  かしめ部、８０  スペーサー。
【図１】
2013062214.tif 000003
【図２】
2013062214.tif 000004
【図３】
2013062214.tif 000005
【図４】
2013062214.tif 000006